【事件の表示】
　特願２００６−５３０１６１「有機官能性シロキサン混合物」拒絶査定不服審判事件〔平成１６年１１月２５日国際公開、ＷＯ２００４／１０１６５２、平成１９年　２月２２日国内公表、特表２００７−５０３４５５〕について、次のとおり審決する。
【結　論】
　本件審判の請求は、成り立たない。
【理　由】
第１　手続の経緯
　本願は、２００４年３月１８日〔パリ条約による優先権主張外国庁受理２００３年５月１３日（ＤＥ）ドイツ〕を国際出願日とする出願であって、
　平成１７年１２月１３日付けで特許法第１８４条の５第１項の規定による書面及び特許法第１８４条の８第１項の規定による補正書〔条約第三十四条（２）（ｂ）の規定に基づき２００５年２月２５日に提出された補正書〕の翻訳文が提出され、
　平成２１年１２月４日付けの拒絶理由通知に対し、平成２２年６月１０日付けで意見書及び手続補正書の提出がなされ、
　平成２２年６月２９日付けの拒絶査定に対し、平成２２年１１月８日付けで審判請求がなされるとともに手続補正書の提出がなされ、
　平成２４年２月１４日付けの審尋に対して、平成２４年８月１５日付けで回答書の提出がなされ、
　平成２４年９月２０日付けの拒絶理由通知に対し、平成２５年３月２１日付けで意見書及び手続補正書の提出がなされたものである。
　
第２　本願発明
１．本願の特許請求の範囲
　本願の請求項１〜１２に記載された発明は、平成２５年３月２１日付けの手続補正（以下「第４回目の手続補正」という。）により補正された特許請求の範囲の請求項１〜１２に記載された、次のとおりのものである。
「【請求項１】
　一般式Ｉ
　　　ＲｘＳｉＯ（４−ｘ）／２　　　　　　（Ｉ）
［式中、
ｘは１、２又は３であり、
置換基Ｒは以下
（ｉ）以下
　　【化１】
から選択される有機官能基、ここで、Ｒ’は、１〜１８個の炭素原子を有する直鎖、分枝鎖又は環式アルキル基である、及び
（ｉｉ）ヒドロキシル、メトキシ、エトキシ、２−メトキシエトキシ、イソプロポキシ、ｎ−プロポキシ、イソブトキシ及び／又はｎ−ブトキシ基であるか、又は
（ｉ）、（ｉｉ）及び
（ｉｉｉ）１〜１８個の炭素原子を有するアルキル、アルケニル、イソアルキル、シクロアルキル又はフルオロアルキル基、又は６〜１２個の炭素原子を有するアリール基である］
で示され、但し、ケイ素原子１個当たり１個以下の有機官能基（ｉ）が結合しており、ケイ素に対する成分（ｉｉ）のモル比の割合が１〜２であり、かつ一般式Ｉの化合物のためのオリゴマー化度が２〜５０の範囲内である、鎖状、分枝状及び／又は環式シロキサンを含有する混合物。
　【請求項２】
　アルコキシ基含分が、存在するシロキサン混合物の質量に対して０．００１質量％を上回り、かつ６０質量％未満である、請求項１記載の混合物。
　【請求項３】
　置換基Ｒが、以下
（ｉ）１−アミノメチル、Ｎ−（２−アミノエチル）−１−アミノメチル、Ｎ，Ｎ−ジ（２−アミノエチル）−１−アミノメチル、Ｎ−［Ｎ’−（２−アミノエチル）−２−アミノエチル）］−１−アミノメチル、Ｎ−メチル−１−アミノメチル、Ｎ−（ｎ−ブチル）−１−アミノメチル、Ｎ−シクロヘキシル−１−アミノメチル、ウレイドメチル又はＮ−フェニル−１−アミノメチル基、及び
（ｉｉ）ヒドロキシル、メトキシ、エトキシ、２−メトキシエトキシ、プロポキシ及び／又はブトキシ基から選択されているか、又は
（ｉ）、（ｉｉ）及び
（ｉｉｉ）メチル、エチル、ビニル、プロピル、イソブチル、オクチル、ヘキサデシル、モノフルオロアルキル、オリゴフルオロアルキル、ペルフルオロアルキル又はフェニル基から選択されている、請求項１又は２記載の混合物。
　【請求項４】
　沸点が＞２００℃である、請求項１から３までのいずれか１項記載の混合物。
　【請求項５】
　引火点が＞１００℃である、請求項１から４までのいずれか１項記載の混合物。
　【請求項６】
　意図的な加水分解及び縮合により請求項１から５までのいずれか１項記載の混合物を製造するための方法において、成分Ａとして、少なくとも１種の１−有機メチル官能性トリアルコキシシラン又は１−有機メチル官能性メチルジアルコキシシランを用いて、かつ所望であれば、成分Ｂとして、１〜１８個の炭素原子を有する少なくとも１種のアルキル−、アルケニル−、イソアルキル−、シクロアルキル−及び／又はフルオロアルキル−トリアルコキシシラン及び／又はフェニルトリアルコキシシラン及び／又は１〜１８個の炭素原子を有するアルキル−、アルケニル−、イソアルキル−、シクロアルキル−及び／又はフルオロアルキル−メチルジアルコキシシラン及び／又はフェニルメチルジアルコキシシランを用いて、かつ適当であれば、成分Ｃとしてテトラアルコキシシランを用いて、成分Ａ、適当であればＢ及び適当であればＣを、連続して、又は混合して、Ｓｉ１モル当たり０．５〜１．８モルの水、及び使用するアルコキシシランに対して０．１〜１０倍の質量の、（ｉｉ）のアルコキシ基に相当する少なくとも１種のアルコールを用いて、１０〜９５℃の温度で意図的に加水分解及び縮合し、次いで、導入したアルコール及び反応の過程で遊離されたアルコールを大気圧又は減圧下で、１２０℃以下の液相温度での蒸留により生成物混合物から除去することを特徴とする、請求項１から５までのいずれか１項記載の混合物の製造法。
　【請求項７】
　成分Ａ、Ｂ及びＣを１：０：０〜１：１０：０又は１：０：０〜１：０：１０又は１：０：０〜１：１０：１０のＡ：Ｂ：Ｃのモル比で使用する、請求項６記載の方法。
　【請求項８】
　溶剤及び／又は希釈剤として使用するアルコールに相応するメトキシ又はエトキシ基を有するアルコキシシランを使用する、請求項６又は７記載の方法。
　【請求項９】
　加水分解及び縮合を大気圧下で６０〜８０℃の温度で実施する、請求項６から８までのいずれか１項記載の方法。
　【請求項１０】
　生成物混合物の蒸留後処理を５０〜１２０℃の範囲内の温度で大気圧及び／又は減圧下で実施する、請求項６から９までのいずれか１項記載の方法。
　【請求項１１】
　蒸留後処理の後に得られる生成物が、使用する成分Ａ、Ｂ及びＣ５質量％未満及び遊離アルコール５質量％未満を含有する、請求項６から１０までのいずれか１項記載の方法。
　【請求項１２】
　接着剤及びシーラントにおける接着促進剤としての、有機樹脂を変性及び架橋するための、インク及び塗料におけるバインダーとしての、ガラス繊維を被覆するための、充填された熱可塑性コンパウンドにおける接着促進剤としての、無機表面、有機表面及び金属表面を処理するための、表面を撥水性にするための、粉末状物質の表面変性のための、充填剤及び顔料のシラン処理のための、又はフォームシーラントを製造するための、請求項１から１１までのいずれか１項記載の混合物の使用。」
　
２．本願明細書の発明の詳細な説明
　平成１７年１２月１３日付けの条約３４条補正翻訳文のとおりの手続補正、及び第４回目の手続補正により補正された本願明細書の発明の詳細な説明には、次の記載がある。
「【００２３】
　本発明は更に、意図的な加水分解及び共縮合により本発明の鎖状及び環式シロキサンオリゴマーの混合物を製造するための方法において、成分Ａとして、少なくとも１種の１−有機メチル官能性トリアルコキシシラン又は１−有機メチル官能性メチルジアルコキシシランを用いて、かつ所望であれば、成分Ｂとして、１〜１８個の炭素原子を有する少なくとも１種のアルキル−、アルケニル−、イソアルキル−、シクロアルキル−及び／又はフルオロアルキル−トリアルコキシシラン及び／又はフェニルトリアルコキシシラン及び／又は１〜１８個の炭素原子を有するアルキル−、アルケニル−、イソアルキル−、シクロアルキル−及び／又はフルオロアルキル−メチルジアルコキシシラン及び／又はフェニルメチルジアルコキシシランを用いて、かつ適当であれば、成分Ｃとしてテトラアルコキシシランを用いて、成分Ａ、適当であればＢ及び適当であればＣを、連続して、又は混合して、Ｓｉ１モル当たり０．５〜１．８モルの水、及び使用するアルコキシシランに対して０．１〜１０倍の質量の、（ｉｉ）のアルコキシ基に相当する少なくとも１種のアルコールを用いて、１０〜９５℃の温度で意図的に加水分解及び縮合し、次いで、導入したアルコール及び反応の過程で遊離されたアルコールを大気圧又は減圧下で、１２０℃以下の液相温度での蒸留により生成物混合物から除去することを特徴とする、本発明の鎖状及び環式シロキサンオリゴマーの混合物を製造するための方法を提供する。…
　【００２７】
　本発明の方法は一般に以下の様に実施される：
　通常まず第一に、成分Ａ、使用する場合には成分Ｂ及び使用する場合には成分Ｃを反応容器中に装入する。溶剤及び／又は希釈剤、例えばメタノール又はエタノールをアルコキシシラン混合物に添加することができる。有利に完全に混合、例えば撹拌しながら反応のために計量した水を添加することも適当である。水の添加の前又は後に、反応混合物を加熱し、次いで反応させ、生じる生成物混合物を上記のような蒸留により後処理することができる。生成物混合物の蒸留後処理を、有利に５０〜１２０℃の範囲内の温度で、大気圧及び／又は減圧下で実施する。ここで、所望であれば、若干例を挙げると、塩酸、硫酸、ギ酸、酢酸及びクエン酸を含む群からの酸を添加することが可能である。
　【００２８】
　本発明の方法において、成分Ａ、Ｂ及びＣを有利に１：０：０〜１：１０：０、有利に１：０：０〜１：４：０、又は１：０：０〜１：０：１０、有利に１：０：０〜１：０：４、又は１：０：０〜１：１０：１０、有利に１：０：０〜１：４：４のＡ：Ｂ：Ｃのモル比で使用する。
　【００２９】
　本発明の方法において、溶剤及び／又は希釈剤として使用するアルコールに相応するメトキシ又はエトキシ基を有するアルコキシシランを使用することは更に有利である。溶剤及び／又は希釈剤としても、メタノール又はエタノール又はメタノールとエタノールとの混合物を使用するのが有利である。しかしながら他のアルコール又はアルコール混合物を使用することも可能である。
　【００３０】
　本発明の方法において、使用するアルコキシシランの加水分解及び縮合を、有利に大気圧下で１０〜９５℃、更に有利に６０〜８０℃の温度で実施する。反応は通常大気圧下で行われる。また、反応を減圧下又は過圧下で実施することもできる。反応混合物は有利に、生成物混合物の蒸留後処理を開始する２〜８時間前に反応される。
　【００３１】
　蒸留後処理の後、本発明の生成物は有利に成分Ａ、Ｂ及びＣ５質量％未満及び殊に遊離アルコール５質量％未満、有利に１質量％未満を含有する。
　【００３２】
　本発明の鎖状、分枝状及び環式シロキサンの混合物は、有利に以下の例示的な、しかしながら制限を与えない使用が可能である。
　【００３３】
　従って本発明は、例えば、粉末状物質の表面変性のための、微粉末無機充填剤及び顔料のシラン処理のための、及び無機表面、有機表面及び金属表面、例えばコンクリート、アルミニウム、鋼及びプラスチック（２つの例を挙げると、ＰＶＣ及びＰＭＭＡを含む）を処理するための、組成物としての、本発明の鎖状、分枝状及び環式シロキサンの混合物の使用を提供する。本発明の鎖状及び環式シロキサンオリゴマーの混合物は、例えば表面の疎水化のために有利に使用されることができる。
　【００３４】
　本発明は更に、改善された機械的強度及び改善された電気絶縁特性を得ることを目的とした、充填された熱可塑性コンパウンド、例えばＨＦＦＲ（ハロゲン不含の難燃剤）コンパウンドにおける接着促進剤としての、本発明の鎖状及び環式シロキサンオリゴマーの混合物の使用を提供する。
　【００３５】
　本発明は更に、改善された使用特性、殊に制御された硬化特性、改善された機械的強度及び改善された耐湿性を達成することを目的とした、フォームシーラントを含む接着剤及びシーラントにおける接着促進剤としての、本発明の鎖状、分枝状及び環式シロキサンの混合物の使用を提供する。
　【００３６】
　本発明は更に、有機樹脂を変性及び架橋するための、改善された使用特性を有するインク及び塗料におけるバインダーとしての、及びガラス繊維で強化されたプラスチックにおけるガラス繊維の改善された接着性を目的とし、かつ改善された機械的強度を得ることを目的としてガラス繊維を被覆するための、本発明の鎖状、分枝状及び環式シロキサンの混合物の使用を提供する。
　【００３７】
　標準として使用されるモノマー有機アルコキシシランに対する、本発明のシロキサン混合物の特に有利な特性には、高められた沸点、高められた引火点、低下された蒸気圧、適用中に放出される加水分解アルコールの低下された量（ＶＯＣ）、及び殊に、殊に意図的な適用を可能にする化学的な「多面的機能」が含まれる。」
　
第３　審判合議体による拒絶の理由
１．理由１〜４について
　平成２４年９月２０日付けの拒絶理由通知書（以下、「先の拒絶理由通知書」という。）に示した審判合議体による拒絶の理由は、
　理由１として、『この出願の請求項１〜１２に係る発明は、その出願前日本国内又は外国において頒布された下記の刊行物１〜５に記載された発明であるから、特許法第２９条第１項第３号に該当し、特許を受けることができない。』という理由と、
　理由２として、『この出願の請求項１〜１２に係る発明は、その出願前日本国内又は外国において頒布された下記の刊行物１〜５に記載された発明に基づいて、その出願前にその発明の属する技術の分野における通常の知識を有する者が容易に発明をすることができたものであるから、特許法第２９条第２項の規定により特許を受けることができない。』という理由と、
　理由３として、『この出願は、特許請求の範囲の記載が下記の点で不備のため、特許法第３６条第６項第１号及び第２号の規定に適合するものではなく、特許法第３６条第６項に規定する要件を満たしていない。』という理由と、
　理由４として、『この出願は、発明の詳細な説明の記載が下記の点で不備のため、特許法第３６条第４項第１号の規定に適合するものではなく、特許法第３６条第４項に規定する要件を満たしていない。』という理由からなるものである。
　
２．補正前後の請求項１〜１２の対応関係
　第４回目の手続補正による補正後の「請求項１〜１２」は、当該補正前の「請求項１〜１２」に各々対応する。
　
３．理由１〜２で引用された刊行物について
　先の拒絶理由通知書の「記」には、次の刊行物１〜５が提示されている。
刊行物１：特開平１０−６０３７８号公報
刊行物２：特開昭６３−８３１６６号公報
刊行物３：特開平２−２２９８３７号公報
刊行物４：特開昭６２−１５３３５６号公報
刊行物５：特開昭６２−２３５３６１号公報
　
４．理由３〜４で引用された記載不備について
　先の拒絶理由通知書の「記」には、次の記載不備が指摘されている。
（１）請求項１及びその従属項の明確性要件について
　先の拒絶理由通知書の「記」の『２．（１）』の項においては、次の不備１ａ〜１ｅを指摘し、『したがって、本願請求項１〜１２の記載は、特許を受けようとする発明が明確ではないから、特許法第３６条第６項第２号に適合するものではない。』としている。
　
不備１ａ：本願請求項１に記載された「（ｉ）…、及び（ｉｉ）…であるか、又は（ｉ）、（ｉｉ）及び（ｉｉｉ）…であるが、但し…２〜５０の範囲内である」という発明特定事項について、その「但し」以下の但し書きは、（ｉ）＋（ｉｉ）＋（ｉｉｉ）のみを限定するものなのか、（ｉ）＋（ｉｉ）をも限定するのか明確ではない。
　
不備１ｂ：本願請求項１に記載された「ケイ素原子１個当たり１個以下の有機官能基（ｉ）が結合しており」という発明特定事項について、その「１個以下」には「ゼロ」も含まれるのか明確ではない。
　
不備１ｃ：本願請求項１に記載された「ケイ素に対する成分（ｉｉ）のモル比の割合が１〜２であり」という発明特定事項について、当該請求項１を引用する本願請求項２に記載された「アルコキシ基含分が、存在するシロキサン混合物の質量に対して０．００１質量％を上回り、かつ６０質量％未満である」という発明特定事項と整合性がない等、その意味内容が明確ではない。
　
不備１ｄ：本願請求項１に記載された「一般式Ｉの化合物のためのオリゴマー化度が２〜５０の範囲内である」という発明特定事項について、混合物（組成物）全体の中の化合物一分子のみのオリゴマー化度が２〜５０の範囲内にあれば、他の分子のオリゴマー化度は特定されずともよいという意味なのか等、その意味内容が明確ではない。
　
不備１ｅ：本願請求項１に記載された「鎖状、分枝状及び／又は環式シロキサンを含有する混合物」という発明特定事項について、一般に同一種類の化学物質のみからなる組成物は「混合物」とはいわないので、当該「混合物」とは、具体的にどのような２種以上の異なる化学物質を意図しているのか、その意味内容が明確ではない。
　
（２）請求項２〜１２の明確性要件について
　先の拒絶理由通知書の「記」の『２．（２）』の項においては、次の不備２ａ〜２ｄを指摘し、『したがって、本願請求項２〜１２の記載は、特許を受けようとする発明が明確ではないから、特許法第３６条第６項第２号に適合するものではない。』としている。
　
不備２ａ：本願請求項１の「鎖状、分枝状及び／又は環式シロキサンを含有する混合物」との記載に対して、本願請求項５の「…記載の鎖状、分枝状及び環式シロキサンオリゴマーの混合物」との記載、並びに本願請求項２〜４、６及び１２の「…記載のシロキサン混合物」との記載は、その記載表現が統一されていないので、本願請求項２〜６及び１２の記載は明確ではない。
　
不備２ｂ：本願請求項２に記載された「アルコキシ基含分が…６０質量％未満である」という発明特定事項の「アルコキシ基含分」とは、置換基部分を意味するのか、アルコキシ基を有するシロキサン全体を意味するのか明確ではない。
　
不備２ｃ：本願請求項６に記載された「成分Ａ…を用いて、かつ成分Ｂ…を用いて、かつ成分Ｃ…を用いて」という発明特定事項について、当該請求項６を引用する本願請求項７に記載された「成分Ａ、Ｂ及びＣを１：０：０」という発明特定事項においては、成分Ｂ及びＣを全く用いない場合が特定されているので、本願請求項６の「かつ成分Ｂ…かつ成分Ｃ」との記載及び「成分Ａ、Ｂ及びＣを、連続して、又は混合して」との意味するところが明確ではない。
　
不備２ｄ：本願請求項６の「意図的な加水分解及び共縮合により…温度で意図的に加水分解及び縮合し」との記載における「共縮合」及び「縮合」の表記の違いの意図するところが明確ではない。
　
（３）択一的記載の明確性要件について
　先の拒絶理由通知書の「記」の『２．（３）』の項においては、次の不備３ａ〜３ｂを指摘し、『したがって、本願請求項７〜１２の記載は、特許を受けようとする発明が明確ではないから、特許法第３６条第６項第２号に適合するものではない。』としている。
　
不備３ａ：本願請求項７に記載された「成分Ａ、Ｂ及びＣを…又は…又は…のＡ：Ｂ：Ｃのモル比で使用する」という発明特定事項については、実質的に３つの発明を一の請求項に記載しているという点において、特許を受けようとする発明が明確ではない。
　
不備３ｂ：本願請求項１２に記載された「接着剤及びシーラントにおける接着促進剤としての、有機樹脂を変性及び架橋するための、インク及び塗料におけるバインダーとしての、ガラス繊維を被覆するための、充填された熱可塑性コンパウンドにおける接着促進剤としての、無機表面、有機表面及び金属表面を処理するための、表面を撥水性にするための、粉末状物質の表面変性のための、充填剤及び顔料のシラン処理のための、又はフォームシーラントを製造するための」という発明特定事項についても、実質的に１０個の発明を一の請求項に記載しているという点において、『発明を特定するための事項が選択肢で表現されており、その選択肢どうしが類似の性質又は機能を有しないために発明が不明確となる場合。』に該当し、特許を受けようとする発明の範囲が明確ではない。
　
（４）委任省令要件及び実施可能要件について
　先の拒絶理由通知書の「記」の『２．（４）』の項においては、次の不備４ａ〜４ｃを指摘し、『したがって、本願明細書の発明の詳細な説明の記載は、特許法施行規則第２４条の２（委任省令）の「特許法第三十六条第四項の経済産業省令で定めるところによる記載は、発明が解決しようとする課題及びその解決手段その他のその発明の属する技術の分野における通常の知識を有する者が発明の技術上の意義を理解するために必要な事項を記載することによりしなければならない。」との規定で定めるところにより、当業者が本願請求項１〜１２に係る発明の実施をすることができる程度に明確かつ十分に記載しているものではないから、特許法第３６条第４項第１号に適合するものではない。』としている。
　
不備４ａ：本願明細書の段落０００９の「前記の課題」との記載における「課題」については、その前段に「課題」に相当する記載がないので、当該「課題」が具体的にどのような内容のものを意図しているのか不明確である。
　
不備４ｂ：本願明細書の発明の詳細な説明には、本願請求項１〜１２に記載された発明の具体例に相当する実施例についての記載が皆無であることから、本願請求項１〜１２に記載された発明の各々が、具体的にどのような「作用効果」を奏し、どのような「課題」を解決して、どのような「技術上の意義」を有するのか、当業者といえども理解することができない。
　
不備４ｃ：本願請求項１に記載された発明は、その「一般式Ｉ」において「ｘは１、２又は３」という整数の組成のシロキサンを含有する混合物に関するものであるところ、本願請求項１の「（ｉｉ）」で示されるようなヒドロキシル基又はアルコキシル基は、その部分的な加水分解縮合によって、一定割合のみが『Ｓｉ−Ｏ−Ｓｉ』のシロキサン結合を形成することになるため、上記「ｘは１、２又は３」という整数の組成割合を構成し得ないのが普通であるところ、本願明細書の発明の詳細な説明には、本願請求項１〜１２に係る発明の具体例に相当する実施例についての記載が皆無なので、当業者といえども過度の試行錯誤をしなければ、その「ｘ」が整数ピッタリの本願請求項１〜１２に係る発明の実施をすることができない。
　
（５）サポート要件及び実施可能要件について
　先の拒絶理由通知書の「記」の『２．（５）』の項においては、次の不備５ａ〜５ｃを指摘し、『したがって、本願請求項１〜１２の記載は、特許法第３６条第６項第１号に適合するものではなく、本願明細書の発明の詳細な説明の記載は、特許法第３６条第４項第１号に適合するものではない。』としている。
　
不備５ａ：本願明細書の発明の詳細な説明には、本願請求項１〜１２に係る発明の具体例に相当する実施例についての記載が皆無であるため、本願請求項１に記載された「成分（ｉｉ）のモル比の割合が１〜２」であるシロキサン類をどのように加水分解縮合できるのか、その「オリゴマー化度」をどのように「２〜５０の範囲内」となるように調製し得るのか、その「シロキサン混合物」のシロキサンの分子構造を「鎖状、分枝状及び／又は環式」の何れの分子構造に調製し得るのか、本願請求項２に記載された「アルコキシ基含分」の数値範囲をどのように調整し得るのか、本願請求項４に記載された「沸点が＞２００℃」という性状、及び本願請求項５に記載された「引火点が＞１００℃」という性状を満たす混合物をどのように製造し得るのか、当業者といえども理解できないので、当業者といえども過度の試行錯誤をしなければ本願請求項１〜１２に係る発明の実施をすることができない。
　
不備５ｂ：本願明細書の段落００２７〜００３１の記載は単なる一般記載でしかなく、具体的にどのような「シロキサン」が合成され、得られた「シロキサン混合物」の具体的な組成がどのようなものであるか〔本願請求項１に列挙された（ｉ）の選択肢の何れの有機官能基の場合について合成され、その「ｘ」がどのような値になるものか〕、その合成のための具体的な温度や時間の条件や、得られたシロキサン混合物の「オリゴマー化度」や「沸点」や「引火点」などの性状がどのようなものであるのか等々についての具体的な記載は見当たらず、本願明細書の段落００３２〜００３７の記載も単なる示唆でしかなく、本願優先権主張日前の技術水準を参酌したとしても、本願請求項１〜５の「混合物」及び本願請求項６〜７の「方法」の全てが、本願請求項１２に列挙された「接着促進剤」や「架橋」や「バインダー」や「被覆」などの用途や、「撥水性」や「表面変性」などのための「処理」という用途に適用し得ると認識できる範囲内にあるとは認められない。
　
不備５ｃ：化学物質関連の発明の用途発明ないし選択的効果は、その有用性をその化学構造だけから予測することが困難であり、試験して初めて判明するのが普通であるところ、本願明細書の発明の詳細な説明の記載は、本願請求項１〜１２に係る発明の具体例に相当する実施例についての開示がないので、本願明細書の発明の詳細な説明の記載は用途発明としての「説明の具体化の程度」が不十分であって、実施可能要件を満たし得る程度の記載になっているとは認められず、本願請求項１〜１２の記載がサポート要件を満たし得る範囲内のものであるとも認められない。
　
第４　当審の判断
１．理由３〜４について
（１）意見書の主張ないし説明について
　理由３〜４の拒絶の理由に対して、平成２５年３月２１日付けの意見書には『理由３、４のご指摘を鑑み、特許請求の範囲及び明細書を上記の補正の説明の通り補正いたしました。なお、請求項１の「ケイ素原子１個当たり１個以下の有機官能基（ｉ）が結合しており」はゼロを含まないことは明確であり、「一般式Ｉの化合物のためのオリゴマー化度」は請求項１の混合物が含有する一般式Ｉの複数の化合物を意味しております。また、本願明細書の段落０００９に記載の課題は、前段０００８の記載を指しております。』との主張ないし説明がなされている。
　
（２）特許法第３６条第６項第２号（明確性要件）について
ア．不備１ｃ及び不備２ｂについて
　上記「不備１ｃ」における『本願請求項２に記載された「アルコキシ基含分が、存在するシロキサン混合物の質量に対して０．００１質量％を上回り、かつ６０質量％未満である」という発明特定事項』が『本願請求項１に記載された「ケイ素に対する成分（ｉｉ）のモル比の割合が１〜２であり」という発明特定事項』と整合性がないという記載不備、並びに
　上記「不備２ｂ」における『本願請求項２に記載された「アルコキシ基含分が…６０質量％未満である」という発明特定事項の「アルコキシ基含分」とは、置換基部分を意味するのか、アルコキシ基を有するシロキサン全体を意味するのか明確ではない』という記載不備について、
　第４回目の手続補正による補正後においても、上記「不備１ｃ」及び「不備２ｂ」に対応する本願請求項１及び２の記載部分に特段の変更はなく、上記意見書においても、この点に関して何らの説明がなされていないので、上記「不備１ｃ」及び「不備２ｂ」の記載不備については、これが解消しているとは認められない。
　したがって、本願請求項１及び２並びにその従属項の記載は、特許を受けようとする発明が明確ではないから、特許法第３６条第６項第２号に適合するものではない。
　
イ．不備３ａ及び不備３ｂについて
　上記「不備３ａ」における『本願請求項７…実質的に３つの発明を一の請求項に記載している』という記載不備、及び上記「不備３ｂ」における『本願請求項１２…実質的に１０個の発明を一の請求項に記載している』という記載不備について、
　第４回目の手続補正による補正後においても、上記「不備３ａ」及び「不備３ｂ」に対応する本願請求項１及び２の記載部分に特段の変更はなく、上記意見書においても、この点に関して何らの説明がなされていないので、上記「不備３ａ」及び「不備３ｂ」の記載不備については、これが解消しているとは認められない。
　したがって、本願請求項７及び１２並びにその従属項の記載は、特許を受けようとする発明が明確ではないから、特許法第３６条第６項第２号に適合するものではない。
　
（３）特許法第３６条第４項第１号（実施可能要件）について
ア．不備４ｃについて
　上記「不備４ｃ」における『その「一般式Ｉ」において「ｘは１、２又は３」という整数の組成のシロキサンを含有する混合物』について『本願明細書の発明の詳細な説明には、本願請求項１〜１２に係る発明の具体例に相当する実施例についての記載が皆無なので、当業者といえども過度の試行錯誤をしなければ、その「ｘ」が整数ピッタリの本願請求項１〜１２に係る発明の実施をすることができない』という記載不備について、
　本願明細書の段落００２７〜００３７の「本発明の方法は一般に以下の様に実施される：…」との記載は、一般的な記載であって、具体的な記載ではなく、上記意見書においても、この点に関して何らの説明がなされていないので、上記「不備４ｃ」の記載不備については、これが解消しているとは認められない。
　したがって、本願明細書の発明の詳細な説明の記載は、当業者が本願請求項１〜１２に係る発明の実施をすることができる程度に明確かつ十分に記載しているものではないから、特許法第３６条第４項第１号に適合するものではない。
　
イ．不備５ａについて
　上記「不備５ａ」における『本願請求項１に記載された「成分（ｉｉ）のモル比の割合が１〜２」で、その「オリゴマー化度」が「２〜５０の範囲内」で、そのの分子構造が「鎖状、分枝状及び／又は環式」のシロキサン』の調製、『本願請求項２に記載された「アルコキシ基含分」が特定の数値範囲にある混合物』の製造、並びに『本願請求項４に記載された「沸点が＞２００℃」という性状、及び本願請求項５に記載された「引火点が＞１００℃」という性状を満たす混合物』の製造については、『当業者といえども過度の試行錯誤をしなければ本願請求項１〜１２に係る発明の実施をすることができない』という記載不備について、
　本願明細書の発明の詳細な説明の記載に実施例レベルでの記載がなく、上記意見書においても、この点に関して合理的な説明がなされていないので、上記「不備５ａ」の記載不備については、これが解消しているとは認められない。
　したがって、本願明細書の発明の詳細な説明の記載は、当業者が本願請求項１〜１２に係る発明の実施をすることができる程度に明確かつ十分に記載しているものではないから、特許法第３６条第４項第１号に適合するものではない。
　
（４）特許法第３６条第６項第１号（サポート要件）について
ア．不備５ｂ及び不備５ｃについて
　上記「不備５ｂ」における『具体的にどのような「シロキサン」が合成され、得られた「シロキサン混合物」の具体的な組成がどのようなものであるか〔本願請求項１に列挙された（ｉ）の選択肢の何れの有機官能基の場合について合成され、その「ｘ」がどのような値になるものか〕、その合成のための具体的な温度や時間の条件や、得られたシロキサン混合物の「オリゴマー化度」や「沸点」や「引火点」などの性状がどのようなものであるのか等々についての具体的な記載』が見当たらず、『本願請求項１〜５の「混合物」及び本願請求項６〜７の「方法」の全てが、本願請求項１２に列挙された「接着促進剤」や「架橋」や「バインダー」や「被覆」などの用途や、「撥水性」や「表面変性」などのための「処理」という用途に適用し得ると認識できる範囲内にあるとは認められない』という記載不備、並びに
　上記「不備５ｃ」における『化学物質関連の発明の用途発明ないし選択的効果は、その有用性をその化学構造だけから予測することが困難であり、試験して初めて判明するのが普通であるところ、本願明細書の発明の詳細な説明の記載は、本願請求項１〜１２に係る発明の具体例に相当する実施例についての開示がないので、本願明細書の発明の詳細な説明の記載は用途発明としての「説明の具体化の程度」が不十分であって、本願請求項１〜１２の記載がサポート要件を満たし得る範囲内のものであるとは認められない。』という記載不備について、
　本願明細書の発明の詳細な説明には、本願請求項１〜１２に係る発明が、産業上利用することができる発明として実際に完成し、本願所定の課題ないし効果を奏し得ることを具体的に裏付ける記載が皆無であり、どのような「有機官能基」を有し、どのような「オリゴマー化度」を有し、どのような化学構造を有する「シロキサン」が実際に製造され、これが「接着促進剤」や「架橋剤」や「バインダー」や「被覆材」や「表面改質剤」などの用途に有効であることを具体的に裏付ける記載も皆無である。
　このため、本願明細書の発明の詳細な説明の記載によっては、本願請求項１〜１２に記載された発明が、本願明細書の段落００３４に記載された「本発明は更に、改善された機械的強度及び改善された電気絶縁特性を得ることを目的とした、充填された熱可塑性コンパウンド、例えばＨＦＦＲ（ハロゲン不含の難燃剤）コンパウンドにおける接着促進剤としての、本発明の鎖状及び環式シロキサンオリゴマーの混合物の使用を提供する」等の本願所定の課題を解決できると認識できる範囲にあると認めることはできない。
　そして、上記意見書においても、この点に関して合理的な説明がなされておらず、本願出願時の技術水準における技術常識を参酌したとしても、本願請求項１〜１２の記載されたもの全てが本願所定の課題を解決できると認識できる合理的な範囲にあるとは認められない。
　してみると、上記「不備５ｂ」及び「不備５ｃ」の記載不備については、これが解消しているとは認められない。
　したがって、本願請求項１〜１２の記載は、特許を受けようとする発明が発明の詳細な説明に記載されたものではないから、特許法第３６条第６項第１号に適合するものではない。
　
２．理由１〜２について
（１）本１発明
　本願請求項１に係る発明（以下「本１発明」という。）について、本願請求項１に記載された「一般式Ｉの化合物のためのオリゴマー化度が２〜５０の範囲内である…シロキサンを含有する混合物」という発明特定事項について、上記意見書の『請求項１の「一般式Ｉの化合物のためのオリゴマー化度」は請求項１の混合物が含有する一般式Ｉの複数の化合物を意味しております』との釈明を参酌するに、
　当該「オリゴマー化度」は、シロキサン混合物における平均値としての「オリゴマー化度」を意味するものではなく、一般式Ｉの複数の化合物が「オリゴマー化度が２〜５０の範囲内」にあれば、他の分子のオリゴマー化度は特定されずともよいという意味であると解釈して、新規性及び進歩性の特許要件を以下に検討する。
　
（２）引用刊行物及びその記載事項
ア．刊行物１：特開平１０−６０３７８号公報
　上記刊行物１には、次の記載がある。
摘記１ａ：請求項１
「（Ｃ）下記平均組成式（３）
　　Ｒ３ｃＲ４ｄ（ＯＲ５）ｅＳｉＯ（４−ｃ−ｄ−ｅ）／２　　（３） 
（式中、Ｒ３は非置換又は置換一価炭化水素基、Ｒ４は付加反応性又は縮合反応性の官能基を有する一価の有機基、Ｒ５は非置換又は置換のアルキル基を示し、ｃ，ｄ，ｅは、０≦ｃ≦３、０≦ｄ≦３、０＜ｅ≦４、０＜ｃ＋ｄ＋ｅ≦４を満足する数である。）で示されるオルガノアルコキシシラン又はシロキサン」
　
摘記１ｂ：段落００１６及び００２０〜００２６
「ここで、Ｒ２の非置換又は置換一価炭化水素基としては、…例えばメチル基、エチル基、プロピル基、ブチル基等のアルキル基、…トリフルオロプロピル基…などが例示される。…
　本発明に使用される（Ｃ）成分のオルガノアルコキシシラン又はシロキサンは下記平均組成式（３）で示されるものである。…
　Ｒ３ｃＲ４ｄ（ＯＲ５）ｅＳｉＯ（４−ｃ−ｄ−ｅ）／２　　（３）
（式中、Ｒ３は非置換又は置換一価炭化水素基、Ｒ４は付加反応性又は縮合反応性の官能基を有する一価の有機基、Ｒ５は非置換又は置換のアルキル基を示し、ｃ，ｄ，ｅは、０≦ｃ≦３、０≦ｄ≦３、０＜ｅ≦４、０＜ｃ＋ｄ＋ｅ≦４を満足する数である。）…
　ここで、Ｒ３の非置換又は置換一価炭化水素基としては、上記Ｒ２と同様の炭素数１〜８、特に１〜４のもの、また脂肪族不飽和結合を有さないものが挙げられる。また、Ｒ４の官能基を有する有機基としては、メタクリロキシプロピル基等のＣＨ２＝ＣＲ−ＣＯＯ（ＣＨ２）ｎ−（Ｒは水素原子又はメチル基、ｎは１〜１０の整数）で示される基、ビニル基、アリル基等の炭素数２〜１０のアルケニル基、アミノプロピル基等のＨ２Ｎ（ＣＨ２）ｎ−（ｎは１〜１０の整数）で示される基、メルカプトプロピル基等のＨＳ（ＣＨ２）ｎ−（ｎは１〜１０の整数）で示される基、γ−グリシジルオキシプロピル基、β−（３，４−エポキシシクロヘキシル）エチル基等のＧ−（ＣＨ２）ｎ−（ｎは１〜１０の整数、ただし、Ｇは下記式で示される基である）などの付加反応性、縮合反応性の官能基を有する一価の基である。…
…
　また、Ｒ５のアルキル基としては、炭素数１〜１０、特に１〜４のアルキル基、アルコキシ置換アルキル基が好ましく、例えばメチル基、エチル基、プロピル基、ブチル基等のアルキル基、メトキシメチル基、メトキシエチル基、エトキシメチル基、エトキシエチル基等のアルコキシ置換アルキル基などが挙げられる。…
　ｃ，ｄ，ｅは、０≦ｃ≦３、好ましくは０≦ｃ≦２、０≦ｄ≦３、好ましくは０＜ｄ≦２、０＜ｅ≦４、好ましくは０＜ｅ≦３、０＜ｃ＋ｄ＋ｅ≦４、好ましくは０＜ｃ＋ｄ＋ｅ≦３を満足する数であり、（Ｃ）成分のオルガノアルコキシシラン又はシロキサンは１分子中に少なくとも１個の、好ましくは３個以上のケイ素原子に結合した非置換又は置換のアルコキシ基を有するものである。…
　このようなオルガノシランとしては、ビニルトリメトキシシラン、ビニルトリエトキシシラン、ビニルトリス（β−メトキシエトキシ）シラン、γ−メタクリロキシプロピルトリメトキシシラン、γ−メタクリロキシプロピルメチルジメトキシシラン、γ−グリシドキシプロピルトリメトキシシラン、γ−アミノプロピルトリエトキシシラン、γ−アミノプロピルトリメトキシシラン、Ｎ−β（アミノエチル）γ−アミノプロピルトリメトキシシラン、γ−メルカプトプロピルトリメトキシシラン、テトラメトキシシラン、テトラエトキシシラン等が例示されるが、これはその部分加水分解によって得られるアルコキシシロキサンであってもよい。」
　
摘記１ｃ：段落００２８及び００３１
「本発明は、（Ｄ）成分として下記平均組成式（４）で示されるエポキシ基含有オルガノハイドロジェンシラン又はシロキサンを配合する。…その重合度（分子中のケイ素原子の数）は３〜３００、特に４〜１５０程度が好ましい。」
　
イ．刊行物２：特開昭６３−８３１６６号公報
　上記刊行物２には、次の記載がある。
摘記２ａ：第２頁左下欄第６行〜右下欄第１５行
「本発明に使用される（Ｂ）成分は、本組成物の架橋剤となり、また本組成物に良好な表面被膜形成性と保存安定性を付与するために必須の成分であり、α−アミノメチルトリアルコキシシランまたはその部分加水分解縮合物が使用される。…（Ｂ）成分を例示すると、ブチルアミノメチルトリメトキシシラン、ジブチルアミノメチルトリメトキシシラン…などが例示される。」
　
摘記２ｂ：第３頁右上欄第１行〜左下欄第２行
「かかる（Ｃ）成分は、…ビニルトリメトキシシランなどの３官能性アルコキシシラン類及びその部分加水分解縮合物、…メチルセルソルブシリケートなどのアルキルシリケート類およびその部分加水分解縮合物、
などの環状アルコキシシロキサン類、…などの直鎖状アルコキシシロキサン類などが例示される。」
　
ウ．刊行物３：特開平２−２２９８３７号公報
　上記刊行物３には、次の記載がある。 
摘記３ａ：請求項１
「（イ）一般式 
　　（Ｒ’）ａＳｉＯ（４−ａ）／２（式中Ｒ’は同一または相異なり、水素原子および１価の置換または非置換炭化水素基から選ばれた１価の基を示し、一分子中の全Ｒ’のうち少なくとも２個はエポキシ基含有基で置換された１価の炭化水素基、ａは１〜３の整数を示す）で表される構造単位より成る重合度が１０〜５，０００のポリオルガノシロキサンと、
（ロ）少なくとも１個の炭素原子を介してケイ素原子に結合した置換または非置換アミノ基およびケイ素原子に結合したアルコキシ基を有するシランおよび／またはシロキサンとを、（イ）中のエポキシ基含有基１個に対して（ロ）中のアミノ基が０．１〜１０個になるように配合した混合物またはこれらの部分反応生成物もしくは前記部分反応生成物と（イ）および／または（ロ）との混合物である硬化性物質０．１〜１００重量部」
　
摘記３ｂ：第４頁右下欄第１行〜第５頁右上欄第３行
「３，４−オキシシクロヘキシル基などが例示される。…ケイ素原子に結合する水酸基を含有していてもよい。しかして、合成の容易さ、取扱い易さ、最終的に形成される塗膜の機械的な強度などからして、前記ポリオルガノシロキサンの重合度は１０〜５，０００程度好ましくは５０〜１，０００の範囲で選ばれる。一方、（ロ）のシランやシロキサンは、少なくとも１個の炭素原子を介してケイ素原子に結合した置換または非置換アミノ基およびケイ素原子に結合したアルコキシ基を有するシラン、このシランの部分縮合によって得られたシロキサン、もしくは前記シランと環状ポリオルガノシロキサンとの平衡反応によって得られたポリシロキサンである。上記置換または非置換アミノ基を含むとしては、アミノメチル基…などが例示される。…また、上記シランやシロキサンは、前記置換または非置換アミノ基を含む基を一分子中に少なくとも１個有するものであり、さらにケイ素原子に結合したアルコキシ基を有するものが選ばれる。このアルコキシとしはメトキシ基、エトキシ基、プロポキシ基、ブトキシ基などが例示されるが、合成の容易さからメトキシ基およびエトキシ基が一般的であり、また上記アルコキシ基は一分子中に少なくとも２個有することが好ましい。」
　
摘記３ｃ：第７頁右上欄第１７行〜左下欄第５行
「シロキサン分子中の１／１０のケイ素原子にγ−グリシドキシプロピル基とメチル基が結合し、他のケイ素原子にはメチル基がそれぞれ２個結合した重合度約５０のポリジメチルシロキサン１０重量部とＮ−β−アミノエチル−３−アミノプロピルトリメトキシシラン１０重量部とを混ぜ加熱して得た有機珪素化合物をイソプロピルアルコール８０重量部に溶解し、ポリオルガノシロキサン溶液（Ｓ−１）を調製した。」
　
エ．刊行物４：特開昭６２−１５３３５６号公報
　上記刊行物４には、次の記載がある。
摘記４ａ：請求項１
「下記（イ）〜（ホ）の化合物からなるコーティング剤組成物。…
（ハ）…又は
（Ｒ３はＣ１〜４のアルキレン基、Ｒ４はＣ１〜４のアルキル基）で表わされるエポキシ基含有シラン化合物、この化合物の単一重合体、または共重合体１０〜４０重量部」
　
摘記４ｂ：第３頁左下欄第２行〜第５頁左下欄第８行
「更に（ハ）、（ニ）成分は、（イ）、（ロ）成分の重合を促進すると共に、加水分解により自己縮合しうる機能を持ち、更に（ホ）成分のエポキシ基を開環させる触媒としても働く、この時、エポキシ基の他の開環触媒を必要に応じて同時に併用してもその機能は失われることはない。
　本発明に用いられる（ハ）成分のエポキシ基含有シラン化合物としては、…３，４−エポキシシクロヘキシルメチルトリブトキシシラン等が例示される。
　又、（ニ）成分のアミノ基含有シラン化合物としては、アミノメチルトリメトキシシラン」
　
オ．刊行物５：特開昭６２−２３５３６１号公報
　上記刊行物５には、次の記載がある。 
摘記５ａ：請求項１
「（Ａ）式：…と、式：
〔式中、Ｒ２は一価の置換もしくは非置換炭化水素基、ｂはその平均値が０．８〜１．８の数、およびｃは本化合物におけるＯＨ基の占める比率が平均値で０．０１重量％以上となる数である〕の単位を有する水酸基含有オルガノポリシロキサン〔Ａ２〕の混合物、
（Ｂ）メルカプトシラン化合物〔Ｂ１〕および／またはアミノシランとエポキシシランとの反応生成物（または混合物）〔Ｂ２〕、…
から成ることを特徴とするプライマー組成物。」
 　 
摘記５ｂ：第３頁左上欄第１６行〜右上欄第１５行
「上記アミノシランとしては、例えばアミノメチルトリエトキシシラン、Ｎ−（β−アミノエチル）アミノメチルトリメトキシシラン、…等が挙げられる。上記エポキシシランとしては、例えば…３，４−エポキシシクロヘキシルエチルトリメトキシシラン…等が挙げられる。」
　
摘記５ｃ：第４頁右上欄第１３〜２０行
「実施例１…アミノシラン〔Ｎ−β−（アミノエチル）−γ−アミノプロピルトリメトキシシラン〕とエポキシシラン（γ−グリシドキシプロピルトリメトキシシラン）の反応生成物」
 　 
（３）刊行物１を主引用例とした場合の検討
ア．刊行物１に記載された発明
　摘記１ａの記載、及び摘記１ｂの「Ｒ２の非置換…一価炭化水素基としては…メチル基、エチル基、プロピル基、ブチル基等のアルキル基…が例示される。…Ｒ３の非置換…一価炭化水素基としては、上記Ｒ２と同様の…ものが挙げられる。また、Ｒ４の官能基を有する有機基としては…Ｈ２Ｎ（ＣＨ２）ｎ−（ｎは１…の整数）で示される基…などの…官能基を有する一価の基である。…また、Ｒ５のアルキル基としては…メチル基、エチル基、プロピル基、ブチル基等のアルキル基…などが挙げられる。…これはその部分加水分解によって得られるアルコキシシロキサンであってもよい。」との記載からみて、
　刊行物１には、
『（Ｃ）下記平均組成式（３） 
　　Ｒ３ｃＲ４ｄ（ＯＲ５）ｅＳｉＯ（４−ｃ−ｄ−ｅ）／２　　（３）
（式中、Ｒ３はメチル基、エチル基等のアルキル基、Ｒ４はＨ２ＮＣＨ２−で示される基、Ｒ５はメチル基、エチル基等のアルキル基を示し、ｃ，ｄ，ｅは、０≦ｃ≦３、０≦ｄ≦３、０＜ｅ≦４、０＜ｃ＋ｄ＋ｅ≦４を満足する数である。）で示される、部分加水分解によって得られるオルガノアルコキシシロキサン。』
 についての発明（以下、「刊１発明」という。）が記載されている。
　
イ．対比
　本１発明と刊１発明とを対比すると、
　刊１発明の「下記平均組成式（３）」は、刊１発明の『ｃ、ｄ、ｅ』及び『Ｒ３、Ｒ４、（ＯＲ５）』と、本１発明の「ｘ」及び「Ｒ」との間に、『ｘ＝ｃ＋ｄ＋ｅ』及び『Ｒ＝Ｒ３＋Ｒ４＋（ＯＲ５）』の対応関係が成り立つことから、本１発明の「一般式Ｉ」に相当し、
　刊１発明の「Ｒ３はメチル基、エチル基等のアルキル基」は、本１発明の「（ｉｉｉ）１〜１８個の炭素原子を有するアルキル、アルケニル、イソアルキル、シクロアルキル又はフルオロアルキル基、又は６〜１２個の炭素原子を有するアリール基である」のうちの「１〜２個の炭素原子を有するアルキル基」等の場合に相当し、
　刊１発明の「Ｒ４はＨ２ＮＣＨ２−で示される基」は、本１発明の「（ｉ）…−（ＣＨ２）−ＮＨ２…から選択される有機官能基」に相当し、
　刊１発明の「（ＯＲ５）」は、その「Ｒ５はメチル基、エチル基等のアルキル基を示し」との記載からみて、本１発明の「（ｉｉ）ヒドロキシル、メトキシ、エトキシ、２−メトキシエトキシ、イソプロポキシ、ｎ−プロポキシ、イソブトキシ及び／又はｎ−ブトキシ基である」のうちの『メトキシ及び／又はエトキシ基』等の場合に相当し、
　刊１発明の「０≦ｃ≦３」は、刊１発明の「ｃ＝０」の場合が本１発明の「（ｉ）…及び（ｉｉ）」の場合に、刊１発明の「０＜ｃ≦３」の場合が本１発明の「（ｉ）、（ｉｉ）及び（ｉｉｉ）」の場合に、それぞれ相当し、
　刊１発明の「０≦ｄ≦３」は、その「０＜ｄ≦１」の範囲が、本１発明の「ケイ素原子１個当たり１個以下の有機官能基（ｉ）が結合しており」に相当し、
　刊１発明の「０＜ｅ≦４」及び「部分加水分解によって得られる」は、その「１≦ｅ≦２」の範囲が、本１発明の「ケイ素に対する成分（ｉｉ）のモル比の割合が１〜２であり」に相当し、
　刊１発明の「０＜ｃ＋ｄ＋ｅ≦４」は、本１発明の「ｘは１、２又は３であり」に相当し、
　刊１発明の「部分加水分解によって得られるオルガノアルコキシシロキサン」は、鎖状、分岐状又は環式のいずれかの構造にあることが自明であり、なおかつ、その「平均組成式（３）」を満たす組成の「混合物」の形態にあると認められるから、本１発明の「鎖状、分枝状及び／又は環式シロキサンを含有する混合物」に相当する。
　
　してみると、本１発明と刊１発明は、『一般式Ｉ
　　　ＲｘＳｉＯ（４−ｘ）／２　　　　　　（Ｉ）
［式中、ｘは１、２又は３であり、置換基Ｒは以下
（ｉ）以下
−（ＣＨ２）−ＮＨ２，
から選択される有機官能基、及び
（ｉｉ）メトキシ及び／又はエトキシ基であるか、又は
（ｉ）、（ｉｉ）及び（ｉｉｉ）１〜２個の炭素原子を有するアルキル基である］
で示され、但し、ケイ素原子１個当たり１個以下の有機官能基（ｉ）が結合しており、ケイ素に対する成分（ｉｉ）のモル比の割合が１〜２である、鎖状、分枝状及び／又は環式シロキサンを含有する混合物。』に関するものである点において一致し、
　一般式Ｉの化合物のためのオリゴマー化度が、本１発明においては「２〜５０の範囲内」に特定されているのに対して、刊１発明においては「オリゴマー化度」の数値範囲が特定されていない点においてのみ一応相違する。
　
ウ．判断
　上記相違点について検討するに、上記『２．（１）』に示したように、本１発明の「混合物」における「オリゴマー化度」の意味するところは、シロキサン混合物における平均値としての「オリゴマー化度」を意味するものではなく、少なくとも一部のシロキサン化合物が「オリゴマー化度が２〜５０の範囲内」にあれば良いものと解されるところ、
　刊１発明の「部分加水分解によって得られるオルガノアルコキシシロキサン」の中には統計確率論的に「オリゴマー化度が２〜５０の範囲内」のシロキサン化合物が含まれていることが明らかであることから、この点について実質的な差異は認められない。
　また、摘記１ｃの「重合度（分子中のケイ素原子の数）は…４〜１５０程度が好ましい」との記載、摘記２ｂのオリゴマー化度が４である環状アルコキシシロキサン類の化学式についての記載、及び摘記３ａの「重合度が１０〜５，０００のポリオルガノシロキサン」との記載にあるように、本１発明の「２〜５０の範囲内」という「オリゴマー化度」の数値範囲は、ポリシロキサンの重合度として通常の数値範囲を示したにすぎないものと認められるから、刊１発明の「部分加水分解によって得られるオルガノアルコキシシロキサン」の重合度の数値範囲も、本１発明と同様な数値範囲にあると推認され、この点について実質的な差異は認められない。
　したがって、本１発明は、刊行物１に実質的に記載された発明である。
　
　また、よしんば「オリゴマー化度」の数値範囲の点において相違するとしても、摘記３ｂの「合成の容易さ、取扱い易さ、最終的に形成される塗膜の機械的な強度などからして、前記ポリオルガノシロキサンの重合度は１０〜５，０００程度好ましくは５０〜１，０００の範囲で選ばれる」との記載にあるように、シロキサンの技術分野において合成の容易さなどの要請に応じて「オリゴマー化度」の数値範囲の最適化をすることは、当業者にとって適宜設定可能な設計事項にすぎず、格別の創意工夫を要することではない。
　
　したがって、本１発明は、刊行物１〜３に記載された発明に基づいて、当業者が容易に発明をすることができたものである。
　
（４）刊行物２〜５を主引用例とした場合の検討
ア．刊行物２〜５に記載された発明
（ア）刊２発明
　摘記２ａの「本発明に使用される（Ｂ）成分は…α−アミノメチルトリアルコキシシランまたはその部分加水分解縮合物が使用される。…（Ｂ）成分を例示すると、ブチルアミノメチルトリメトキシシラン、ジブチルアミノメチルトリメトキシシラン…などが例示される。」との記載からみて、刊行物２には、
『ブチルアミノメチルトリメトキシシラン等の部分加水分解縮合物。』についての発明（以下、「刊２発明」という。）が記載されている。
　
（イ）刊３発明
　摘記３ａの「（イ）…に対して（ロ）…配合した混合物」との記載、及び摘記３ｂの「（ロ）の…シロキサンは、少なくとも１個の炭素原子を介してケイ素原子に結合した置換または非置換アミノ基およびケイ素原子に結合したアルコキシ基を有するシラン…の部分縮合によって得られたシロキサン、もしくは前記シランと環状ポリオルガノシロキサンとの平衡反応によって得られたポリシロキサンである。上記置換または非置換アミノ基を含むとしては、アミノメチル基…などが例示される。…アルコキシ…メトキシ基およびエトキシ基が一般的であり、また上記アルコキシ基は一分子中に少なくとも２個有することが好ましい。」との記載からみて、刊行物３には、
『アミノメチルトリメトキシシランの部分縮合によって得られたシロキサン、もしくは前記シランと環状ポリオルガノシロキサンとの平衡反応によって得られたポリシロキサンの混合物。』についての発明（以下、「刊３発明」という。）が記載されている。
　
（ウ）刊４発明
　摘記４ａの「（ハ）…で表わされるエポキシ基含有シラン化合物…の単一重合体」との記載、及び摘記４ｂの「本発明に用いられる（ハ）成分のエポキシ基含有シラン化合物としては…３，４−エポキシシクロヘキシルメチルトリブトキシシラン等が例示される。」との記載からみて、刊行物４には、
『３，４−エポキシシクロヘキシルメチルトリブトキシシラン等の単一重合体。』についての発明（以下、「刊４発明」という。）が記載されている。
　
（エ）刊５発明
　摘記５ａの「アミノシランとエポキシシランとの反応生成物（または混合物）〔Ｂ２〕」との記載、及び摘記５ｂの「上記アミノシランとしては、例えば…Ｎ−（β−アミノエチル）アミノメチルトリメトキシシラン…等が挙げられる。上記エポキシシランとしては、例えば…３，４−エポキシシクロヘキシルエチルトリメトキシシラン…等が挙げられる。」との記載からみて、刊行物５には、
『アミノシラン（例えばＮ−（β−アミノエチル）アミノメチルトリメトキシシラン）とエポキシシラン（例えば３，４−エポキシシクロヘキシルエチルトリメトキシシラン）との反応生成物の混合物。』についての発明（以下、「刊５発明」という。）が記載されている。
　
イ．対比・判断
　ここで、刊３発明の「アミノメチルトリエトキシシランの部分縮合によって得られたシロキサン」は、次の一般式（Ａ）：
　
　　　┌　　Ｏ−ＣＨ３　┐　　Ｏ−ＣＨ３ 　　　　　　　
　　　│　　｜　　　　　│　　｜ 　　　　　　　　　　　
 Ｒ −│− Ｓｉ − Ｏ −│− Ｓｉ − Ｒ　　　　（Ａ）　
　　　│　　｜　　　　　│　　｜ 　　　　　　　　　　　
　　　└　　Ｏ−ＣＨ３　┘ｎ　Ｏ−ＣＨ３ 　　　　　　　
　
で示される化学構造（但し、Ｒは、−ＣＨ２−ＮＨ２で示されるアミノメチル基）を含むオリゴマー化度が２以上のシロキサンを含む混合物となるものであり、当該「混合物」の中に一定の量で含まれるオリゴマー化度が２（ｎ＝１）のシロキサンは、本１発明の「一般式Ｉ」において、ｘが３であり、ケイ素原子当たり１個の有機官能基（ｉ）＝アミノメチル基が結合し、ケイ素原子に対する成分（ｉｉ）＝メトキシ基のモル比の割合が２であり、オリゴマー化度が２である場合の鎖状シロキサンに相当する。
　
　同様に、刊２発明の「ブチルアミノメチルトリメトキシシラン等の部分加水分解縮合物」や、刊４発明の「３，４−エポキシシクロヘキシルメチルトリブトキシシラン等の単一重合体」や、刊５発明の「アミノシラン（例えばＮ−（β−アミノエチル）アミノメチルトリメトキシシラン）とエポキシシラン（例えば３，４−エポキシシクロヘキシルエチルトリメトキシシラン）との反応生成物の混合物」も、
　オリゴマー化度が２以上のシロキサンの混合物となるものであって、刊２発明、刊４発明及び刊５発明のシロキサンとしては、上記一般式（Ａ）において、Ｒがブチルアミノ基（刊２発明）、３，４−エポキシシクロヘキシルメチル基（刊４発明）、Ｎ−（β−アミノエチル）アミノメチル基（刊５発明）であって、そのオリゴマー化度が２（ｎ＝１）である場合のシロキサンが、その「部分加水分解縮合物」ないし「反応生成物」の組成中に一定の割合で含まれるものである。
　
　また、刊３発明の『アミノメチルトリエトキシシランの平衡反応によって得られた環状ポリオルガノシロキサン』の化学構造は、次の一般式（Ｂ）：
　
　　　┌　　Ｒ　　　　　┐　　　　　　　 　　　　　　　
　　　│　　｜　　　　　│ 　　　　　　　　　　　　　　
　┌─┼─ Ｓｉ − Ｏ ─┼──┐ 　　　　　　　（Ｂ）　
　│　│　　｜　　　　　│　　│ 　　　　　　　　　　　
　│　└　　Ｏ−ＣＨ３　┘ｍ　│ 　　　　　　　　　　　
　└─────────────┘ 　　　　　　　　　　　
　
で示される化学構造（但し、Ｒは、−ＣＨ２−ＮＨ２で示されるアミノメチル基）を含むオリゴマー化度がｍの環状シロキサンを含む混合物となるものであり、当該「混合物」の中に一定の量で含まれるオリゴマー化度が２（ｍ＝２）の環状シロキサンは、本１発明の「一般式Ｉ」において、ｘが３であり、ケイ素原子当たり１個の有機官能基（ｉ）＝アミノメチル基が結合し、ケイ素原子に対する成分（ｉｉ）＝メトキシ基のモル比の割合が１であり、オリゴマー化度が４である場合の環状シロキサンに相当する。
　
　したがって、本１発明は、刊行物２〜５の各々に記載された発明である。
　
（５）意見書の主張ないし説明について
　理由１〜２の拒絶の理由に対して、平成２５年３月２１日付けの意見書には『理由１、２につきまして、刊行物１〜５に記載された化合物は、本願請求項１に記載の置換基（ｉ）及び（ｉｉ）の双方を有していないか、あるいは１個のケイ素原子を有しており、本願発明の混合物とは相違し、また刊行物１〜５には、本願発明の混合物は示唆されておらず、本願発明が新規性及び進歩性を有することは明らかであるものと思料いたします。』との主張ないし説明のみがなされている。
　
　しかしながら、摘記１ｂの「Ｒ４の官能基を有する有機基としては、メタクリロキシプロピル基等のＣＨ２＝ＣＲ−ＣＯＯ（ＣＨ２）ｎ−（Ｒは水素原子又はメチル基、ｎは１…の整数）で示される基、…メルカプトプロピル基等のＨＳ（ＣＨ２）ｎ−（ｎは１…の整数）で示される基、」との記載、
　摘記４ｂの「３，４−エポキシシクロヘキシルメチルトリブトキシシラン等が例示される。」との記載、
　摘記３ｂの「アミノメチル基」及び「メトキシ基」を有する「シラン」についての記載、
　摘記２ａの「ブチルアミノメチルトリメトキシシラン、ジブチルアミノメチルトリメトキシシラン…などが例示される。」との記載、及び
　摘記５ｂの「Ｎ−（β−アミノエチル）アミノメチルトリメトキシシラン」との記載にあるように、
　本１発明の（ｉ）の
から選択される有機官能基と、（ｉｉ）のメトキシ、エトキシ、ブトキシ基などのアルコキシ基を有する『置換メチルトリアルコキシシラン』は、刊行物１〜５に記載されるように普通に知られており、これら『置換メチルトリアルコキシシラン』を縮合させた場合のシロキサン化合物が、オリゴマー化度が２以上の、本１発明の「一般式Ｉ」で示されるシロキサンになることも明らかであるから、上記意見書の主張ないし説明は妥当ではない。
　
第５　むすび
　以上のとおり、本１発明は、新規性要件又は進歩性要件に違反するものであるから、特許法第２９条の規定により特許を受けることができないものである。
　また、本願請求項１〜１２の記載は、サポート要件及び明確性要件に違反するものであるから、本願は、特許法第３６条第６項に規定する要件を満たしておらず、本願明細書の発明の詳細な説明は、実施可能要件に違反するものであるから、本願は、特許法第３６条第４項第１号に規定する要件を満たしていない。
　したがって、その余の理由及びその余の請求項に係る発明について検討するまでもなく、本願は拒絶すべきものである。
　よって、結論のとおり審決する。